【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
レンズ形成材料を型の中で硬化させることによって得られ、それぞれが加水分解性シリコーン含有基を含むポリマー単位を含むシリコーンハイドロゲル材料を含み、それぞれのポリマー単位が、式（１）又は（２）
【化９】
2011528816.tif 000001
【化１１】
2011528816.tif 000002
（式中、1Ｒは、Ｈ又は−ＣＨ3であり、−Ｌ−は、−Ｏ−又は
【化１０】
2011528816.tif 000003
であり、2Ｒは、トリメチルシリル基（−Ｓｉ（ＣＨ3）3）であり、3Ｒは、Ｈ又はＣ1〜Ｃ8アルキル基であり、4Ｒは、Ｃ1〜Ｃ12非置換アルキレン（二価基）又は一つ以上の水素がＣ1〜Ｃ3アルコキシ基、ヒドロキシ基、アミノ基、チオール基及び／もしくはカルボキシル基によって置換されている置換アルキレンであり、5Ｒは、Ｃ1〜Ｃ7アルキレン基である）
のビニルモノマーに由来するポリマー単位であり、
加水分解性シリコーン含有基が、加水分解によってシリコーンハイドロゲル材料から開裂して、硬化後の表面処理なしで、ソフトコンタクトレンズに約９０°以下の水接触角を提供することができるソフトコンタクトレンズ。
【請求項２】
シリコーンハイドロゲル材料が、式（１）のビニルモノマーに由来するポリマー単位を含む、請求項１記載のソフトコンタクトレンズ。
【請求項３】
シリコーンハイドロゲル材料が、式（２）のビニルモノマーに由来するポリマー単位を含む、請求項１記載のソフトコンタクトレンズ。
【請求項４】
レンズ形成材料が、親水性モノマー、一つのエチレン性不飽和基を有するシロキサン含有モノマー、一つのエチレン性不飽和基を有するシロキサン含有マクロマー、二つ以上のエチレン性不飽和基を有するシロキサン含有モノマー、二つ以上のエチレン性不飽和基を有するシロキサン含有マクロマー、シリコーン含有プレポリマー、疎水性モノマー、一つのエチレン性不飽和基しか有しない親水性ポリマー、ジ又はマルチ−エチレン性官能化親水性ポリマー、ジエチレン性官能化親水性ポリマー、マルチ−エチレン性官能化親水性ポリマー及びそれらの二つ以上の組み合わせからなる群より選択される少なくとも一つを含む、請求項１記載のソフトコンタクトレンズ。
【請求項５】
シリコーンハイドロゲル料が、Ｎ，Ｎ−ジメチルアクリルアミド（ＤＭＡ）、２−ヒドロキシエチルメタクリレート（ＨＥＭＡ）、２−ヒドロキシエチルアクリレート（ＨＥＡ）、ヒドロキシプロピルアクリレート、ヒドロキシプロピルメタクリレート（ＨＰＭＡ）、トリメチルアンモニウム２−ヒドロキシプロピルメタクリレート塩酸塩、アミノプロピルメタクリレート塩酸塩、ジメチルアミノエチルメタクリレート（ＤＭＡＥＭＡ）、グリセロールメタクリレート（ＧＭＡ）、Ｎ−ビニル−２−ピロリドン（ＮＶＰ）、ジメチルアミノエチルメタクリルアミド、アクリルアミド、メタクリルアミド、アリルアルコール、ビニルピリジン、Ｎ−（１，１−ジメチル−３−オキソブチル）アクリルアミド、アクリル酸、２００〜１，５００の重量平均分子量を有するＣ1〜Ｃ4アルコキシポリエチレングリコール（メタ）アクリレート、メタクリル酸、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、Ｎ−ビニルカプロラクタム及びそれらの組み合わせからなる群より選択される親水性ビニルモノマーに由来するポリマー単位を含む、請求項４記載のソフトコンタクトレンズ。
【請求項６】
シリコーンハイドロゲル材料が、一つ以上のエチレン性不飽和基を有するシロキサン含有モノマー又はマクロマーに由来するポリマー単位を含み、一つ以上のエチレン性不飽和基を有するシロキサン含有モノマー又はマクロマーが、モノメタクリル化ポリジメチルシロキサン、モノアクリル化ポリジメチルシロキサン、ジメタクリル化ポリジメチルシロキサン、ジアクリル化ポリジメチルシロキサン、ビニル末端ポリジメチルシロキサン、メタクリルアミド末端ポリジメチルシロキサン、アクリルアミド末端ポリジメチルシロキサン、アクリレート末端ポリジメチルシロキサン、メタクリレート末端ポリジメチルシロキサン、ビス−３−メタクリルオキシ−２−ヒドロキシプロピルオキシプロピルポリジメチルシロキサン、Ｎ，Ｎ，Ｎ′，Ｎ′−テトラキス（３−メタクリルオキシ−２−ヒドロキシプロピル）−α，ω−ビス−３−アミノプロピル−ポリジメチルシロキサン、ポリシロキサニルアルキル（メタ）アクリルモノマー、グリシジルメタクリレートとアミノ官能性ポリジメチルシロキサンとの反応生成物、少なくとも一つのヒドロキシル基を有するシロキサン含有モノマー、少なくとも一つのヒドロキシル基を有するシロキサン含有マクロマー及びそれらの組み合わせからなる群より選択される、請求項４記載のソフトコンタクトレンズ。
【請求項７】
シリコーンハイドロゲル材料が、メチルアクリレート、エチル−アクリレート、プロピルアクリレート、イソプロピルアクリレート、シクロヘキシルアクリレート、２−エチルヘキシルアクリレート、メチルメタクリレート、エチルメタクリレート、プロピルメタクリレート、酢酸ビニル、プロピオン酸ビニル、酪酸ビニル、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、ペルフルオロヘキシルエチル−チオ−カルボニル−アミノエチル−メタクリレート、イソボルニルメタクリレート、トリフルオロエチルメタクリレート、ヘキサフルオロ−イソプロピルメタクリレート、ヘキサフルオロブチルメタクリレート、トリス−トリメチルシリルオキシ−シリル−プロピルメタクリレート、３−メタクリルオキシプロピル−ペンタメチル−ジシロキサン及びビス（メタクリルオキシプロピル）−テトラメチル−ジシロキサン及びそれらの組み合わせからなる群より選択される疎水性ビニルモノマーに由来するポリマー単位を含む、請求項４記載のソフトコンタクトレンズ。
【請求項８】
シリコーンハイドロゲル材料が、それぞれが一つのエチレン性不飽和基しか有しない一つ以上の親水性ポリマーに由来するダングリングポリマー鎖を含む、請求項４記載のソフトコンタクトレンズ。
【請求項９】
それぞれが一つのエチレン性不飽和基しか有しない一つ以上の親水性ポリマーが、ポリエチレングリコール、ポリエチレングリコール／ポリプロピレングリコールブロックコポリマー、ポリアルキルアクリルアミド、ポリアルキルメタクリルアミド、ポリビニルピロリドン、Ｎ−ビニルピロリドンとジアルキルアミノアルキルアクリレートとのコポリマー、Ｎ−ビニルピロリドンとジアルキルアミノアルキルメタクリレートとのコポリマー、Ｎ−ビニルピロリドンとＮ，Ｎ−ジアルキルアクリルアミドとのコポリマー、Ｎ−ビニルピロリドンとＮ，Ｎ−ジアルキルメタクリルアミドとのコポリマー、Ｎ−ビニルピロリドンと酢酸ビニルとのコポリマー、ポリビニルアルコール、酢酸ビニルとジアルキルアミノアルキルアクリレートとのコポリマー、酢酸ビニルとジアルキルアミノアルキルメタクリレートとのコポリマー、酢酸ビニルとＮ，Ｎ−ジアルキルアクリルアミドとのコポリマー、酢酸ビニルとＮ，Ｎ−ジアルキルメタクリルアミドとのコポリマー及びそれらの組み合わせからなる群より選択される、請求項８記載のソフトコンタクトレンズ。
【請求項１０】
レンズ形成材料が、重合開始剤、視認用ティント剤、ＵＶ遮断剤、増感剤、インヒビター、抗菌剤、生物活性物質、浸出性潤滑剤及びそれらの組み合わせからなる群より選択される少なくとも一つの成分をさらに含む、請求項４記載のソフトコンタクトレンズ。
【請求項１１】
少なくとも約４０barrerの酸素透過度、約０．３MPa〜約１．５MPa、少なくとも約１．５×１０-6mm2/minのイオノフラックス拡散係数Ｄを特徴とするイオン透過度、約１５％〜約６０％の含水率、約９０°以下の平均水接触角を有することを特徴とする表面親水性及びそれらの組み合わせからなる群より選択される少なくとも一つの性質を有する、請求項１記載のソフトコンタクトレンズ。
【請求項１２】
（ａ）（１）式（１）又は（２）
【化１３】
2011528816.tif 000004
【化１５】
2011528816.tif 000005
（式中、1Ｒは、Ｈ又は−ＣＨ3であり、−Ｌ−は、−Ｏ−又は
【化１４】
2011528816.tif 000006
であり、2Ｒは、トリメチルシリル基（−Ｓｉ（ＣＨ3）3）であり、3Ｒは、Ｈ又はＣ1〜Ｃ8アルキル基であり、4Ｒは、Ｃ1〜Ｃ12非置換アルキレン（二価基）又は一つ以上の水素がＣ1〜Ｃ3アルコキシ基、ヒドロキシ基、アミノ基、チオール基及び／もしくはカルボキシル基によって置換されている置換アルキレンであり、5Ｒは、Ｃ1〜Ｃ7アルキレン基である）で示される、加水分解性シリコーン含有基を含む少なくとも一つのビニルモノマー、
（２）少なくとも一つの親水性ビニルモノマー、
（３）一つのエチレン性不飽和基を有する少なくとも一つのシロキサン含有モノマー、一つのエチレン性不飽和基を有する少なくとも一つのシロキサン含有マクロマー、二つ以上のエチレン性不飽和基を有する少なくとも一つのシロキサン含有モノマー、二つ以上のエチレン性不飽和基を有する少なくとも一つのシロキサン含有マクロマー又はそれらの二つ以上の組み合わせ、及び
（４）場合によって、連鎖移動剤
を含む、化学線重合性組成物（ただし、成分（２）〜（４）の少なくとも一つが、少なくとも一つの第一の官能基をさらに含むこととする）を共重合させて、第一の官能基を有する中間体コポリマーを得ること、及び
（ｂ）有機化合物を共重合物と反応させて、化学線架橋性基を有する架橋性プレポリマーを形成すること（ここで、有機物は、化学線架橋性基及び第二の官能基を含み、その有機化合物の第二の官能基が中間体コポリマーの第一の官能基の一つと反応する）
によって得られる化学線架橋性プレポリマー。
【請求項１３】
加水分解性シリコーン含有基を含む少なくとも一つのビニルモノマーが式（１）のビニルモノマーである、請求項１２記載のプレポリマー。
【請求項１４】
加水分解性シリコーン含有基を含む少なくとも一つのビニルモノマーが式（２）のビニルモノマーである、請求項１２記載のプレポリマー。
【請求項１５】
親水性ビニルモノマーが、Ｎ，Ｎ−ジメチルアクリルアミド（ＤＭＡ）、２−ヒドロキシエチルメタクリレート（ＨＥＭＡ）、２−ヒドロキシエチルアクリレート（ＨＥＡ）、ヒドロキシプロピルアクリレート、ヒドロキシプロピルメタクリレート（ＨＰＭＡ）、トリメチルアンモニウム２−ヒドロキシプロピルメタクリレート塩酸塩、アミノプロピルメタクリレート塩酸塩、ジメチルアミノエチルメタクリレート（ＤＭＡＥＭＡ）、グリセロールメタクリレート（ＧＭＡ）、Ｎ−ビニル−２−ピロリドン（ＮＶＰ）、ジメチルアミノエチルメタクリルアミド、アクリルアミド、メタクリルアミド、アリルアルコール、ビニルピリジン、Ｎ−（１，１−ジメチル−３−オキソブチル）アクリルアミド、アクリル酸、２００〜１，５００の重量平均分子量を有するＣ1〜Ｃ4アルコキシポリエチレングリコール（メタ）アクリレート、メタクリル酸、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、Ｎ−ビニルカプロラクタム及びそれらの組み合わせからなる群より選択される、請求項１２記載のプレポリマー。
【請求項１６】
レンズ形成材料が、メチルアクリレート、エチルアクリレート、プロピルアクリレート、イソプロピルアクリレート、シクロヘキシルアクリレート、２−エチルヘキシルアクリレート、メチルメタクリレート、エチルメタクリレート、プロピルメタクリレート、酢酸ビニル、プロピオン酸ビニル、酪酸ビニル、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、ペルフルオロヘキシルエチル−チオ−カルボニル−アミノエチル−メタクリレート、イソボルニルメタクリレート、トリフルオロエチルメタクリレート、ヘキサフルオロ−イソプロピルメタクリレート、ヘキサフルオロブチルメタクリレート、トリス−トリメチルシリルオキシ−シリル−プロピルメタクリレート、３−メタクリルオキシプロピル−ペンタメチル−ジシロキサン及びビス（メタクリルオキシプロピル）−テトラメチル−ジシロキサン及びそれらの組み合わせからなる群より選択される疎水性ビニルモノマーを含む、請求項１２記載のプレポリマー。
【請求項１７】
それぞれが一つのエチレン性不飽和基しか有しない一つ以上の親水性ポリマーに由来するダングリングポリマー鎖を含み、それぞれが一つのエチレン性不飽和基しか有しない一つ以上の親水性ポリマーが、ポリエチレングリコール、ポリエチレングリコール／ポリプロピレングリコールブロックコポリマー、ポリアルキルアクリルアミド、ポリアルキルメタクリルアミド、ポリビニルピロリドン、Ｎ−ビニルピロリドンとジアルキルアミノアルキルアクリレートとのコポリマー、Ｎ−ビニルピロリドンとジアルキルアミノアルキルメタクリレートとのコポリマー、Ｎ−ビニルピロリドンとＮ，Ｎ−ジアルキルアクリルアミドとのコポリマー、Ｎ−ビニルピロリドンとＮ，Ｎ−ジアルキルメタクリルアミドとのコポリマー、Ｎ−ビニルピロリドンと酢酸ビニルとのコポリマー、ポリビニルアルコール、酢酸ビニルとジアルキルアミノアルキルアクリレートとのコポリマー、酢酸ビニルとジアルキルアミノアルキルメタクリレートとのコポリマー、酢酸ビニルとＮ，Ｎ−ジアルキルアクリルアミドとのコポリマー、酢酸ビニルとＮ，Ｎ−ジアルキルメタクリルアミドとのコポリマー及びそれらの組み合わせからなる群より選択される、請求項１２記載のプレポリマー。
【請求項１８】
ソフトコンタクトレンズを製造する方法であって、
（１）コンタクトレンズの前面を画定する第一の成形面を有する第一の型半部及びコンタクトレンズの後面を画定する第二の成形面を有する第二の型半部を有する、ソフトコンタクトレンズを製造するための型を提供し（ここで、第一及び第二の型半部は、第一の成形面と第二の成形面との間にキャビティが形成されるように互いを受け入れるように構成されている）、一つの第一の加水分解性シリコーン含有基を有する少なくとも一つの化学線架橋性モノマー及び／又は複数の第二の加水分解性シリコーン含有基を有する一つの化学線架橋性プレポリマーを含むレンズ形成材料をキャビティに導入するステップ、
（２）レンズ形成材料を硬化させて、シリコーンハイドロゲル材料で構成されたソフトコンタクトレンズを形成するステップ、ここで、シリコーンハイドロゲル材料が、それぞれが加水分解性シリコーン含有基を含むポリマー単位を含み、それぞれのポリマー単位が、式（１）又は（２）
【化１７】
2011528816.tif 000007
【化１８】
2011528816.tif 000008
（式中、1Ｒは、Ｈ又は−ＣＨ3であり、−Ｌ−は、−Ｏ−又は
【化１９】
2011528816.tif 000009
であり、2Ｒは、トリメチルシリル基（−Ｓｉ（ＣＨ3）3）であり、3Ｒは、Ｈ又はＣ1〜Ｃ8アルキル基であり、4Ｒは、Ｃ1〜Ｃ12非置換アルキレン（二価基）又は一つ以上の水素がＣ1〜Ｃ3アルコキシ基、ヒドロキシ基、アミノ基、チオール基及び／もしくはカルボキシル基によって置換されている置換アルキレンであり、5Ｒは、Ｃ1〜Ｃ7アルキレン基である）のビニルモノマーであり、並びに
（３）ソフトコンタクトレンズを加水分解に付し、それにより、加水分解中、第一及び第二の加水分解性シリコーン含有基をシリコーンハイドロゲル材料から開裂させて、硬化後の表面処理なしで、ソフトコンタクトレンズに約９０°以下の水接触角を提供するステップを含む方法。